(57)【特許請求の範囲】
【請求項１】
情報を入力するための入力手段と、
コンテンツを表示する表示装置と、
前記表示装置におけるコンテンツの表示態様を制御するための制御手段とを備え、
前記制御手段は、
前記入力手段に対して第１の種類の操作がなされた場合に、前記表示装置に表示しているコンテンツについて、ページめくりの候補となるページの数を増加させ、
前記入力手段に対して第２の種類の操作がなされた場合に、前記第１の種類の操作に基づいてページめくりの候補とされたページを送るように、前記表示装置におけるコンテンツの表示態様を制御し、
第１の筐体および第２の筐体をさらに備え、
前記第１の種類の操作は、前記第１の筐体と前記第２の筐体の相対位置を第１の状態にする操作であり、
前記表示装置は、前記第１の筐体に備えられた第１の表示部と、前記第２の筐体に備えられた第２の表示部とを含み、
前記第１の状態では、前記第２の表示部は、前記第１の表示部よりも表示領域が狭く、
前記制御手段は、前記第２の表示部に、前記ページめくりの候補とされたページを示す情報を表示させる、コンテンツ表示装置。
【請求項２】
情報を入力するための入力手段と、
コンテンツを表示する表示装置と、
前記表示装置におけるコンテンツの表示態様を制御するための制御手段とを備え、
前記制御手段は、
前記入力手段に対して第１の種類の操作がなされた場合に、前記表示装置に表示しているコンテンツについて、ページめくりの候補となるページの数を増加させ、
前記入力手段に対して第２の種類の操作がなされた場合に、前記第１の種類の操作に基づいてページめくりの候補とされたページを送るように、前記表示装置におけるコンテンツの表示態様を制御し、
第１の筐体および第２の筐体をさらに備え、
前記入力手段は、情報の入力を受付けるスイッチを含み、
前記第１の種類の操作と前記第２の種類の操作のうち、一方は、前記第１の筐体と前記第２の筐体の相対位置を所定の状態にする操作であり、他方は、前記スイッチに対する操作である、コンテンツ表示装置。
【請求項３】
前記制御手段は、前記入力手段に対する前記第１の種類の操作が継続される回数または継続される時間の増加に応じて、前記ページめくりの候補となるページの数を増加させる、請求項１または請求項２に記載のコンテンツ表示装置。
【請求項４】
前記制御手段は、
前記入力手段に対して前記第１の種類の操作がなされた場合に、前記表示装置に表示しているコンテンツについて、ページめくりの候補とされるページを、めくる途中の状態で維持される表示を行ない、
前記入力手段に対して前記第２の種類の操作がなされた場合に、前記表示装置に表示しているコンテンツについて、前記めくる途中の状態で維持されるように表示されているページをめくる表示を行なう、請求項１〜請求項３のいずれか１項に記載のコンテンツ表示装置。
【請求項５】
第１の筐体および第２の筐体を備える表示装置にコンテンツを表示するためのコンピュータを、
情報を入力するための入力手段、および、
前記表示装置におけるコンテンツの表示態様を制御するための制御手段として機能させるためのコンテンツ表示用プログラムであって、
前記制御手段は、
前記入力手段に対して第１の種類の操作がなされた場合に、前記表示装置に表示しているコンテンツについて、ページめくりの候補となるページの数を増加させ、
前記入力手段に対して第２の種類の操作がなされた場合に、前記第１の種類の操作に
基づいてページめくりの候補とされたページを送るように、前記表示装置におけるコンテンツの表示態様を制御し、
前記第１の種類の操作は、前記第１の筐体と前記第２の筐体の相対位置を第１の状態にする操作であり、
前記表示装置は、前記第１の筐体に備えられた第１の表示部と、前記第２の筐体に備えられた第２の表示部とを含み、
前記第１の状態では、前記第２の表示部は、前記第１の表示部よりも表示領域が狭く、
前記制御手段は、前記第２の表示部に、前記ページめくりの候補とされたページを示す情報を表示させる、コンテンツ表示用プログラム。
【請求項６】
第１の筐体および第２の筐体を備える表示装置にコンテンツを表示するためのコンピュータを、
情報を入力するための入力手段、および、
前記表示装置におけるコンテンツの表示態様を制御するための制御手段として機能させるためのコンテンツ表示用プログラムであって、
前記制御手段は、
前記入力手段に対して第１の種類の操作がなされた場合に、前記表示装置に表示しているコンテンツについて、ページめくりの候補となるページの数を増加させ、
前記入力手段に対して第２の種類の操作がなされた場合に、前記第１の種類の操作に
基づいてページめくりの候補とされたページを送るように、前記表示装置におけるコンテンツの表示態様を制御し、
前記入力手段は、情報の入力を受付けるスイッチを含み、
前記第１の種類の操作と前記第２の種類の操作のうち、一方は、前記第１の筐体と前記第２の筐体の相対位置を所定の状態にする操作であり、他方は、前記スイッチに対する操作である、コンテンツ表示用プログラム。
【発明の詳細な説明】
【技術分野】
【０００１】
本発明は、コンテンツ表示装置およびコンテンツ表示用プログラムに関し、特に、複数のページからなるコンテンツの表示対象となるページを変更できる、コンテンツ表示装置およびコンテンツ表示用プログラムに関する。
【背景技術】
【０００２】
従来から、電子書籍等の電子コンテンツの表示制御に関し、種々の技術が開示されている。
【０００３】
たとえば、特許文献１（特開２０１０−１３５９６７号公報）には、ヒンジ部を介して開閉可能に連結された第一の筐体及び第二の筐体を備える端末装置において、第一の筐体または第二の筐体の一方を動かさず他方を開く或いは閉じる操作が行なわれたとき、どちらの筐体が開く或いは閉じるという操作がなされたかを検出し、当該検出結果に基づいて、コンテンツのページ送り方向を決定する技術が開示されている。
【先行技術文献】
【特許文献】
【０００４】
【特許文献１】特開２０１０−１３５９６７号公報
【発明の概要】
【発明が解決しようとする課題】
【０００５】
ここで、従来の情報端末におけるコンテンツの表示におけるページ送りは、上記特許文献１に開示されるように１ページごとになされるか、または、最初のページもしくは最後のページにジャンプするような態様であった。
【０００６】
このようなページ送りでは、ユーザが閲覧を希望するページが、表示しているページから所定のページ分だけ離れている場合、当該閲覧を希望するページが表示されるまでには、当該所定のページの数だけページをめくる表示等、めくられるページごとの処理を必要とされていた。これにより、閲覧を希望するページが表示されるまでに比較的長時間を要し、ユーザに、煩わしい印象を与える場合があった。
【０００７】
本発明は、かかる実情に鑑み考え出されたものであり、その目的は、コンテンツ表示装置において、表示されるコンテンツについての複数のページがめくられる際の煩雑さを緩和することである。
【課題を解決するための手段】
【０００８】
ある局面に従ったコンテンツ表示装置は、情報を入力するための入力手段と、コンテンツを表示する表示装置と、表示装置におけるコンテンツの表示態様を制御するための制御手段とを備え、制御手段は、入力手段に対して第１の種類の操作がなされた場合に、表示装置に表示しているコンテンツについて、ページめくりの候補となるページの数を増加させ、入力手段に対して第２の種類の操作がなされた場合に、第１の種類の操作に基づいてページめくりの候補とされたページを送るように、表示装置におけるコンテンツの表示態様を制御し、第１の筐体および第２の筐体をさらに備え、第１の種類の操作は、第１の筐体と第２の筐体の相対位置を第１の状態にする操作であり、表示装置は、第１の筐体に備えられた第１の表示部と、第２の筐体に備えられた第２の表示部とを含み、第１の状態では、第２の表示部は、第１の表示部よりも表示領域が狭く、制御手段は、第２の表示部に、ページめくりの候補とされたページを示す情報を表示させる。
他の局面に従ったコンテンツ表示装置は、情報を入力するための入力手段と、コンテンツを表示する表示装置と、表示装置におけるコンテンツの表示態様を制御するための制御手段とを備え、制御手段は、入力手段に対して第１の種類の操作がなされた場合に、表示装置に表示しているコンテンツについて、ページめくりの候補となるページの数を増加させ、入力手段に対して第２の種類の操作がなされた場合に、第１の種類の操作に基づいてページめくりの候補とされたページを送るように、表示装置におけるコンテンツの表示態様を制御し、第１の筐体および第２の筐体をさらに備え、
入力手段は、情報の入力を受付けるスイッチを含み、
第１の種類の操作と第２の種類の操作のうち、一方は、第１の筐体と第２の筐体の相対位置を所定の状態にする操作であり、他方は、スイッチに対する操作である。
【０００９】
好ましくは、制御手段は、入力手段に対する第１の種類の操作が継続される回数または継続される時間の増加に応じて、ページめくりの候補となるページの数を増加させる。
【００１３】
好ましくは、制御手段は、入力手段に対して第１の種類の操作がなされた場合に、表示装置に表示しているコンテンツについて、ページめくりの候補とされるページを、めくる途中の状態で維持される表示を行ない、入力手段に対して第２の種類の操作がなされた場合に、表示装置に表示しているコンテンツについて、めくる途中の状態で維持されるように表示されているページをめくる表示を行なう。
【００１４】
ある局面に従ったコンテンツ表示用プログラムは、第１の筐体および第２の筐体を備える表示装置にコンテンツを表示するためのコンピュータを、情報を入力するための入力手段、および、表示装置におけるコンテンツの表示態様を制御するための制御手段として機能させるためのコンテンツ表示用プログラムであって、制御手段は、入力手段に対して第１の種類の操作がなされた場合に、表示装置に表示しているコンテンツについて、ページめくりの候補となるページの数を増加させ、入力手段に対して第２の種類の操作がなされた場合に、第１の種類の操作に基づいてページめくりの候補とされたページを送るように、表示装置におけるコンテンツの表示態様を制御し、第１の種類の操作は、第１の筐体と第２の筐体の相対位置を第１の状態にする操作であり、表示装置は、第１の筐体に備えられた第１の表示部と、第２の筐体に備えられた第２の表示部とを含み、第１の状態では、第２の表示部は、第１の表示部よりも表示領域が狭く、制御手段は、第２の表示部に、ページめくりの候補とされたページを示す情報を表示させる。
他の局面に従ったコンテンツ表示用プログラムは、第１の筐体および第２の筐体を備える表示装置にコンテンツを表示するためのコンピュータを、情報を入力するための入力手段、および、表示装置におけるコンテンツの表示態様を制御するための制御手段として機能させるためのコンテンツ表示用プログラムであって、制御手段は、入力手段に対して第１の種類の操作がなされた場合に、表示装置に表示しているコンテンツについて、ページめくりの候補となるページの数を増加させ、入力手段に対して第２の種類の操作がなされた場合に、第１の種類の操作に基づいてページめくりの候補とされたページを送るように、表示装置におけるコンテンツの表示態様を制御し、入力手段は、情報の入力を受付けるスイッチを含み、第１の種類の操作と第２の種類の操作のうち、一方は、第１の筐体と第２の筐体の相対位置を所定の状態にする操作であり、他方は、スイッチに対する操作である。
【発明の効果】
【００１５】
上記構成によれば、コンテンツ表示装置は、複数ページのページ送りを、当該複数ページ分まとめて実行することができ、これにより、複数のページがめくられる際の煩雑さを緩和できる。
【図面の簡単な説明】
【００１６】
【図１】本発明のコンテンツ表示装置の一実施の形態である情報端末の外観を示す図である。
【図２】図１の情報端末の側面を示す図である。
【図３】図１の情報端末の背面を示す図である。
【図４】図１の情報端末の、図１に示された状態から第１の筐体と第２の筐体の相対位置の変更された状態を示す図である。
【図５】図１の情報端末の、図１に示された状態から第１の筐体と第２の筐体の相対位置の変更された状態を示す図である。
【図６】図１の情報端末のハードウェア構成を示す図である。
【図７】図１の情報端末において実行されるページめくり制御処理のフローチャートである。
【図８】図１の情報端末において実行されるページめくり制御処理のフローチャートである。
【図９】図１の情報端末において実行されるページめくり制御処理のフローチャートである。
【図１０】図１の情報端末において実行されるページめくり制御処理のフローチャートである。
【図１１】図１の情報端末において実行されるページめくり制御処理のフローチャートである。
【図１２】図１の情報端末において実行されるページめくり制御処理のフローチャートである。
【図１３】図１の情報端末において実行されるスライド状態を決定する処理のフローチャートである。
【図１４】図１の情報端末における表示部の表示内容を説明するための図である。
【図１５】図１の情報端末における表示部の表示内容を説明するための図である。
【図１６】図１の情報端末における表示部の表示内容を説明するための図である。
【図１７】図１の情報端末における表示部の表示内容を説明するための図である。
【図１８】図１の情報端末における表示部の表示内容を説明するための図である。
【図１９】図１の情報端末における表示部の表示内容を説明するための図である。
【図２０】図１の情報端末における表示部の表示内容を説明するための図である。
【図２１】図１の情報端末における表示部の表示内容を説明するための図である。
【図２２】図１の情報端末における表示部の表示内容を説明するための図である。
【図２３】図１の情報端末における表示部の表示内容を説明するための図である。
【図２４】図１の情報端末において実行される、Openページとして設定されているページの表示をするための処理のフローチャートである。
【図２５】図１の情報端末において実行される、Openページの設定のための処理のフローチャートである。
【図２６】図１の情報端末における表示部の表示内容を説明するための図である。
【発明を実施するための形態】
【００１７】
以下、図面を参照しつつ、本発明の実施の形態について説明する。以下の説明では、同一の部品には同一の符号が付してある。それらの名称および機能も同じである。したがって、それらについての詳細な説明は繰返さない。
【００１８】
［携帯端末の外観］
図１は、本発明のコンテンツ表示装置の一実施の形態である情報端末の構成を模式的に示す図である。図２は、情報端末１００の側面を示す図である。また、図３は、情報端末１００の背面を示す図である。
【００１９】
図１〜図３を参照して、情報端末１００は、第１の筐体１と、第２の筐体２とを含む。情報端末１００では、２つの筐体は、図示せぬスライド機構により、一方が他方に対して図１の両矢印Ｒ１方向にスライドできるように構成されている。
【００２０】
第１の筐体１は、その前面に、第１の表示部１０を設けられており、また、背面には、第１磁気センサ１２１および第２磁気センサ１２２が設けられている。第２の筐体２は、その前面に、第２の表示部２０、および、磁石１２９が設けられている。磁石１２９は、第２の筐体２の、第１の筐体１と重なる部分に設けられている。
【００２１】
また、第１の筐体１には、外部から押下されることにより操作されるスイッチ１２が設けられ、また、第２の筐体２には、外部から押下されることにより操作されるスイッチ２２が設けられている。
【００２２】
図４および図５は、情報端末１００において、図１に示された状態から第１の筐体１と第２の筐体２の相対位置の変更された状態を示す図である。
【００２３】
図５では、第１の筐体１と第２の筐体２の、それらの全体がほぼ重ねられた状態が示されている。図４では、第１の筐体１と第２の筐体２の、図１に示された程度まで開かれた状態と図５に示された重ねられた状態の中間的な状態が示されている。本実施の形態では、第１の筐体１と第２の筐体２は、一方が他方に対してスライドすることにより、図１に示されたような開かれた状態から、図４に示された状態を経由して、図５に示されたような重ねられた状態となり、また、図５に示されたような重ねられた状態から、図４に示された状態を経由して、図１に示されたような開かれた状態となる。本明細書では、以下、図５に示された状態をスライド（１）状態といい、図４に示された状態をスライド（２）状態といい、そして、図１に示された状態をスライド（３）状態という。
【００２４】
［ハードウェア構成］
図６は、情報端末１００のハードウェア構成を示す図である。
【００２５】
図６を参照して、情報端末１００は、その動作を全体的に制御する制御部１１０を含む。制御部１１０は、ＣＰＵ（Central  Processing  Unit）１１１と、ＲＡＭ（Random  Access  Memory）１１２と、ＲＯＭ（Read  Only  Memory）１１３とを含む。ＣＰＵ１１１は、記憶部１２０等に記憶されたプログラムを実行することにより、本明細書に記載された機能を発揮するように、情報端末１００を制御する。ＲＡＭ１１２は、ＣＰＵ１１１がプログラムを実行する際のワークエリアとして機能する。
【００２６】
情報端末１００は、さらに、第１の表示部１０，第２の表示部２０、タッチセンサ１１，２１、スイッチ１２，２２、第１磁気センサ１２１，第２磁気センサ１２２、記憶部１２０、通信インターフェース１０５、メモリインターフェース１０９、および、アンテナ１０８を含む。
【００２７】
第１の表示部１０および第２の表示部２０は、たとえば、液晶表示装置からなる。また、タッチセンサ１１は、第１の表示部１０の表面に設けられ、第１の表示部１０とともにタッチパネルを構成している。タッチセンサ２１は、第２の表示部２０の表面に設けられ、第２の表示部２０とともにタッチパネルを構成している。タッチセンサ１１およびタッチセンサ２１は、たとえば、静電容量方式の、シート状のタッチセンサによって実現される。
【００２８】
制御部１１０は、スイッチ１２またはスイッチ２２を押下されると、制御部１１０には、それぞれのスイッチに対応する信号が入力される。当該信号が入力されることにより、制御部１１０は、各スイッチが操作されたことを認識する。
【００２９】
第１磁気センサ１２１および第２磁気センサ１２２は、それぞれ、磁石１２９との距離に応じた磁気的状態に基づいて、磁場を計測する。なお、図４に示された状態は、第２磁気センサ１２２が磁石１２９に対向している状態である。また、図５に示された情報端末１００では、第１磁気センサ１２１が磁石１２９と対向している状態である。また、図１に示された状態では、情報端末１００では、図３に示されるように、第１磁気センサ１２１と第２磁気センサ１２２のいずれもが、磁石１２９と対向していない状態にある。
【００３０】
第２磁気センサ１２２が計測する磁場は、第１の筐体１と第２の筐体２とが、スライド（３）状態からスライド（１）状態にされるまでの間、スライド（２）状態で最大となり、スライド（３）状態に近づくほど、または、スライド（１）状態に近づくほど、計測する磁場は小さくなる。一方、第１磁気センサ１２１が計測する磁場は、第１の筐体１と第２の筐体２とが、スライド（３）状態からスライド（１）状態へと変化するに従い、つまり、スライド（１）状態に近づくにつれて、大きくなる。
【００３１】
このように、情報端末１００では、第１磁気センサ１２１が計測する磁場と、第２磁気センサ１２２が計測する磁場は、第１の筐体１と第２の筐体２の相対位置の変化に対して、異なった態様で変化する。情報端末１００では、このような変化の差を利用して、制御部１１０が、第１磁気センサ１２１と第２磁気センサ１２２によって計測される磁場の大きさに基づいて、情報端末１００における第１の筐体１と第２の筐体２の相対位置を決定する。
【００３２】
記憶部１２０は、ＣＰＵ１１１によって実行されるプログラムや、当該プログラムの実行に利用されるデータ等を記憶し、汎用の記憶媒体によって構成される。記憶媒体としては、ＣＤ−ＲＯＭ（Compact  Disc  -  Read  Only  Memory）、ＤＶＤ−ＲＯＭ（Digital  Versatile  Disk  -  Read  Only  Memory）、ＵＳＢ（Universal  Serial  Bus）メモリ、メモリカード、ＦＤ（Flexible  Disk）、ハードディスク、磁気テープ、カセットテープ、ＭＯ（Magnetic  Optical  Disc）、ＭＤ（Mini  Disc）、ＩＣ（Integrated  Circuit）カード、光カード、マスクＲＯＭ、ＥＰＲＯＭ、ＥＥＰＲＯＭ（Electronically  Erasable  Programmable  Read-Only  Memory）などの、不揮発的にプログラム等を格納する媒体が挙げられる。
【００３３】
通信インターフェース１０５は、汎用の携帯電話等に用いられている通信用のモジュールによって実現される。通信インターフェース１０５は、その通信の際に、アンテナ１０８を利用する。
【００３４】
メモリインターフェース１０９は、情報端末１００に対して着脱可能な記録媒体２００に対するデータの読取／書込を行なう際のインターフェースとなる。記録媒体２００としては、たとえば、ＣＤ−ＲＯＭ、ＤＶＤ−ＲＯＭ、ＵＳＢメモリ、メモリカード、ＦＤ、ハードディスク、磁気テープ、カセットテープ、ＭＯ、ＭＤ、ＩＣカード、光カード、マスクＲＯＭ、ＥＰＲＯＭ、ＥＥＰＲＯＭなどの、不揮発的にデータを格納する媒体が挙げられる。
【００３５】
なお、本明細書に記載された情報端末１００の機能は、情報端末１００に対してプログラムが供給されることによって達成される場合にも実現されることはいうまでもない。当該プログラムを格納した記録媒体（記録媒体２００）を情報端末１００に供給し、当該情報端末１００のコンピュータ（又はＣＰＵやＭＰＵ（Micro-Processing Unit））が記録媒体に格納されたプログラムコードを読み出し実行することによっても、本明細書に記載された情報端末１００の機能が実現されることもあり得る。
【００３６】
この場合、記録媒体から読み出されたプログラムコード自体が本明細書に記載の情報端末１００の機能を実現することになり、そのプログラムコードを記憶した記録媒体は本発明を構成することになる。
【００３７】
また、コンピュータが読み出したプログラムコードを実行することにより、本明細書に記載の機能が実現されるだけでなく、そのプログラムコードの指示に基づき、コンピュータ上で稼動しているＯＳ（オペレーティングシステム）などが実際の処理の一部または全部を行い、その処理によって前述した実施の形態の機能が実現される場合も含まれることは言うまでもない。
【００３８】
さらに、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施の形態の機能が実現される場合も含まれることは言うまでもない。
【００３９】
［コンテンツのページめくり表示］
情報端末１００では、電子書籍等の電子コンテンツを、第１の表示部１０および／または第２の表示部２０に表示する。特に、情報端末１００では、第１の表示部１０と第２の表示部２０とを用いて、電子書籍の見開きの２ページを表示することができる。このような第１の表示部１０と第２の表示部２０における表示内容の一例を、図１４に示す。
【００４０】
図１４（Ａ）は、第１の表示部１０の表示内容の一例であり、そして、図１４（Ｂ）は、第２の表示部２０の表示内容の一例を示す図である。図１４（Ａ）および図１４（Ｂ）は、書籍の前半部が開かれている状態の一例を示している。
【００４１】
図１４（Ａ）および図１４（Ｂ）では、コンテンツの一例である右綴じの電子書籍が、第１の表示部１０および第２の表示部２０に表示されている状態が示されている。
【００４２】
図１４（Ａ）の画面９０１は、第１の表示部１０に表示される画面の一例である。画面９０１では、主に電子書籍の第２ページの内容が表示されている。なお、画面９０１では、電子書籍の中綴じ部分を示す線９０１Ａが表示されている。
【００４３】
図１４（Ｂ）の画面９０２は、第２の表示部２０に表示される画面の一例である。画面９０２では、主に、画面９０１に表示されている電子書籍の第２ページの次のページである、第３ページの内容が表示されている。
【００４４】
タッチセンサ２１に対するドラッグ操作等、電子書籍のページをめくるための操作がなされると、第１の表示部１０および第２の表示部２０に表示されている電子書籍について、ページがめくられる。これにより、これらの表示部には、ページをめくられた先のページが表示される。つまり、第１の表示部１０には、第４ページが表示され、第２の表示部２０には、第５ページが表示される。
【００４５】
図１５（Ａ）および図１５（Ｂ）は、電子書籍の中心部のページが表示されている場合の、第１の表示部１０および第２の表示部２０に表示される画面の一例を示す図である。
【００４６】
図１５（Ａ）の、第１の表示部１０に表示される画面の一例である画面９０３には、電子書籍の第１００ページを示す内容が表示されている。また、図１５（Ｂ）の、第２の表示部２０に表示される画面の一例である画面９０４には、電子書籍の第１０１ページの内容が表示されている。
【００４７】
現実世界において、書籍の中心部が開かれている場合には、当該書籍の中綴じ部分は、書籍の左右方向の中心部分に位置するものと考えられる。これに対応して、図１５（Ａ）および図１５（Ｂ）に示された、２つの表示部の表示画面には、図１４（Ａ）において線９０１Ａとして示したような中綴じ部分を示す線は表示されない。この線は、図１５（Ａ）および図１５（Ｂ）に表示された時点では、画面９０３の左端または画面９０４の右端に位置するものと考えられるため、表示が省略されている。
【００４８】
図１６（Ａ）および図１６（Ｂ）は、電子書籍の後半部が開かれている状態を表示するための、第１の表示部１０および第２の表示部２０の表示画面の一例を示す図である。
【００４９】
図１６（Ａ）の、第１の表示部１０の表示画面の一例である画面９０５は、書籍の第１９８ページの内容を示している。また、図１６（Ｂ）の、第２の表示部２０の表示画面の一例である画面９０６は、当該書籍の第１９９ページの内容を示している。
【００５０】
現実世界において、右綴じの書籍の後半部が開かれている場合には、その中綴じ部分は、書籍の見開きの左右方向の、左側寄りに位置する。これに対応して、図１６（Ｂ）の画面９０６では、書籍の中綴じ部分を示す線９０６Ａが表示されている。
【００５１】
なお、図１４（Ａ）および図１４（Ｂ）を参照して説明した画面９０１，９０２が第１の表示部１０および第２の表示部２０に表示されている場合、情報端末１００としては、図２２に示されたような外観となる。また、図１６（Ａ）および図１６（Ｂ）を参照して説明した画面９０５，９０６が第１の表示部１０および第２の表示部２０に表示されている状態では、情報端末１００の外観は、図２３に示されるようなものとなる。図２２において、ハッチングが付されているのは、図１４（Ａ）の画面９０１を参照して説明したように、電子書籍の第２ページの内容に相当する。また、図２３においてハッチングが付されている領域は、図１６（Ａ）および図１６（Ｂ）を参照して説明したような、電子書籍の第１９８ページの内容に相当する。
【００５２】
［溜め動作を含むページめくり表示］
本実施の形態では、第１の表示部１０および第２の表示部２０に表示されている電子書籍について、特徴的なページめくり動作が実施される場合がある。具体的には、電子書籍において、１ページずつページをめくることもできれば、第１の種類の操作がなされることによって、ページめくりの候補となるページを溜めておくことができ、そして、第２の種類の操作がなされることにより、当該候補として溜めておいたページを一気に送ることができる。
【００５３】
このときの、第１の表示部１０および第２の表示部２０における表示内容の一例を、以下説明する。
【００５４】
図１４（Ａ）および図１４（Ｂ）に示すように第１の表示部１０および第２の表示部２０において表示がされている状態で、第１の種類の操作がなされると、第２の表示部２０では、図１７（Ｂ）の画面９０８において、ページ９０８Ｘとして示されるように、１枚の用紙が、ページをめくられる途中の状態で止まったように（宙に浮いたように）表示される。このようなページの表示が、ページめくりの候補となるページが溜められている状態を示す表示である。
【００５５】
その後、情報端末１００において、第１の種類の操作が繰返されると、画面９０８においてページめくりの候補として溜められたページの数が、図１８（Ｂ）の画面９１０においてページ９１０Ｘとして示されるように増加する。なお、図１７（Ａ）および図１８（Ｂ）に示されるように、第１の表示部１０の表示内容は、画面９０７，画面９０９として示されるように、図１４（Ａ）の画面９０１に対して変化しない。
【００５６】
ページめくりの候補となるページが溜められたような表示がなされた状態で、情報端末１００において第２の種類の操作がなされると、溜められているページが一気にめくられる表示がなされる。つまり、第２の表示部２０の表示内容が、図１８（Ｂ）の画面９１０から、図１５（Ｂ）の画面９０４へと変化する。なお、画面９１０から画面９０４に、第２の表示部２０の表示内容が変化する際に、ページめくりの候補として溜められたページが、めくられるような、アニメーション表示がなされることが好ましい。
【００５７】
ここで、第１の種類の操作としては、たとえば、スイッチ２２を押下する操作が挙げられる。また、第２の種類の操作としては、たとえば、第１の筐体１と第２の筐体２を、スライド（３）状態からスライド（２）状態に変更させる操作が挙げられる。
【００５８】
なお、以下の説明では、第１の種類の操作の一例としてスイッチ２２を押下する操作を挙げるが、当該操作は、スイッチ１２を押下する操作とされても良い。
【００５９】
［ページめくり制御］
以下、本実施の形態の情報端末１００において、第１の表示部１０および／または第２の表示部２０において表示される電子書籍のページめくりの制御の内容を、当該制御を実現するための処理（ページめくり制御処理）のフローチャートである図７〜図１２を参照して、説明する。
【００６０】
なお、以下の説明では、情報端末１００の状態が、「１−０−１」等の、−（ハイフン）で区切られた３個の数字の組で表わされる場合がある。最初の数字は、情報端末１００の現在のスライド状態を意味する。ここで、スライド状態とは、図１を参照して説明したスライド（１）状態、図４を参照して説明したスライド（２）状態、および、図５を参照して説明したスライド（１）状態のいずれかをいう。そして、上記した３個の数字の組について、スライド（１）は、「１」に対応する。スライド（２）状態は（図４）は、「２」に対応する。スライド（３）状態（図１）は、「１」に対応する。
【００６１】
また、２つ目の数字は、情報端末１００における直前のスライド状態を表わす。なお、２つ目の数字が「０」である場合は、上記アプリケーションの起動前から起動時にかけて継続してスイッチ２２が押下されている状態を示す。
【００６２】
３つ目の数字は、スイッチ２２が操作されることにより電子書籍のページが溜められている状態にあるか否かを表わす。ページ送りのためのページが溜められている状態は、「２」に対応する。そのようなページが溜められていない状態は、「１」に対応する。
【００６３】
以上より、上記３個の数字の組とフローチャートの内容との関係は、次の表１から表３のようにまとめられる。各表において、上記３個の数字の組は、「対応フローＮｏ．」として示されている。
【００６４】
【表１】
0005722028.tif 000002
【００６５】
【表２】
0005722028.tif 000003
【００６６】
【表３】
0005722028.tif 000004
【００６７】
たとえば「１−０−１」は、現在の状態がスライド（１）状態であり、また、上記アプリケーションの起動前にはスイッチ２２が押下されておらず、これにより、スイッチ２２の押下によるページめくり用のページの溜めがない状態を表わす。
【００６８】
また「３−２−２」は、現在の状態がスライド（３）状態であり、また、直前のスライド状態はスライド（２）状態であり、そして、スイッチ２２の押下によるページめくり用のページの溜めがなされている状態を表わす。
【００６９】
本明細書では、特に言及する場合を除き、情報端末１００において表示される電子コンテンツは、右綴じの書籍とされる。ただし、このような書籍は、本実施の形態の情報端末１００の表示対象とされるコンテンツの単なる一例であり、情報端末１００は、如何なる形態の電子コンテンツをも、その表示対象とすることができる。
【００７０】
図７を参照して、ＣＰＵ１１１は、タッチセンサ１１，２１等に対して、コンテンツを表示するアプリケーションを起動するための操作がなされると、当該アプリケーションを起動し、そして、ステップＳ１０において、表示の対象とされるコンテンツの「Openページ」を取得して、ステップＳ２０へ処理を進める。なお、後述するように、ステップＳ１０から処理が開始されるのは、アプリケーション起動時の情報端末１００の状態が、表１において「１−０−１」で表される状態の場合である。表１から表３に示される他の各場合に、どの処理からページめくりの制御が開始されるかについては、後述する。
【００７１】
ここで、「Openページ」とは、コンテンツについて、初期状態において表示されるように設定されたページであり、当該設定内容は、たとえば記憶部１２０に記憶されている。ステップＳ１０では、ＣＰＵ１１１は、記憶部１２０における「Openページ」の設定内容が記憶された領域の情報を読込むことにより、「Openページ」の設定内容を取得する。
【００７２】
ステップＳ２０では、ＣＰＵ１１１は、第１の表示部１０に、ステップＳ１０で読込んだ「Openページ」によって特定される、コンテンツのページを表示させて、ステップＳ３０へ処理を進める。なお、「Openページ」の設定内容としては、たとえば、コンテンツの一例である電子書籍の表紙裏が挙げられる。その場合、ステップＳ２０では、ＣＰＵ１１１は、第１の表示部１０に、当該表紙裏の画像を表示させて、ステップＳ３０へ処理を進める。
【００７３】
なお、表紙裏とは、閉じた状態の書籍において背表紙の反対側にある、ページを構成する紙が重なって見える部分であって、読者が書籍を開く際に指をかける部分である。
【００７４】
また、ステップＳ２０では、表紙裏が、どの部分を開く予定なのかを理解できる態様で表示される。具体的には、表示裏を、開く予定のページに対応する紙を他のページに対応する紙とは異なる態様（たとえば、異なる色）で、表示される。
【００７５】
ステップＳ３０では、ＣＰＵ１１１は、スイッチ２２が押下されたか否かを判断し、押下されたと判断するとステップＳ４０へ処理を進め、押下されていないと判断するとステップＳ６０へ処理を進める。
【００７６】
ステップＳ４０では、ＣＰＵ１１１は、スイッチ２２の押下が継続された時間が、所定の時間未満であったかどうか、つまり、スイッチ２２に対する操作がいわゆる「１回押し」かどうかを判断する。そして、１回押しである場合にはステップＳ５０へ処理を進める。一方、いわゆる「長押し」であると判断するとステップＳ７０へ処理を進める。なお、「１回押し」とは、継続して押下された時間が予め定められた所定の時間（２秒間）未満の操作を言い、「長押し」とは、継続して所定の時間以上押下された操作を言う。
【００７７】
ステップＳ５０では、ＣＰＵ１１１は、第１の表示部１０に表示させる、コンテンツのページの番号（第何ページか）を、「２」増加させて、ステップＳ３０へ処理を進める。これにより、スイッチ２２に対して１回押しの操作がなされることにより、第１の表示部１０に表示されるコンテンツのページ番号が２増加するように、つまり、２ページだけページ送りがされるように、表示内容が更新される。
【００７８】
一方、ステップＳ７０では、ＣＰＵ１１１は、スイッチ２２の押下が解消されたか否か、つまり、ユーザがスイッチ２２を離したかどうかを判断し、押下が解消されたと判断するとステップＳ３０へ処理を戻し、押下が継続されていると判断するとステップＳ８０へ処理を進める。
【００７９】
ステップＳ８０では、ＣＰＵ１１１は、「Openページ」として設定するページ番号を２増加するように更新して、ステップＳ９０へ処理を進める。
【００８０】
ステップＳ９０では、ＣＰＵ１１１は、第１磁気センサ１２１および第２磁気センサ１２２の計測結果に基づいて、第１の筐体１と第２の筐体２のスライド状態を決定し、当該決定したスライド状態の種類に応じて、処理を進める。ここで、スライド（１）状態であると決定されると、ステップＳ７０へ処理が戻される。また、スライド（２）状態であると決定されると、ステップＳ２５０へ処理が進められる。また、スライド（３）状態であると決定されると、ステップＳ４４０へ処理が進められる。
【００８１】
スイッチ２２の押下が継続されている期間中、ステップＳ７０の処理は、特定の時間が経過する毎に（たとえば１秒毎）、実行される。これにより、ステップＳ７０およびステップＳ８０が実行されると、情報端末１００では、スイッチ２２が押下され続けている間、１秒毎に、「Openページ」として設定されるページ番号が２ずつ増加するように、記憶部１２０等の記憶内容が更新される。
【００８２】
一方、ステップＳ６０では、ＣＰＵ１１１は、第１の筐体１と第２の筐体２のスライド状態を決定し、決定したスライド状態に応じて、処理を進める。スライド（１）状態であると決定されると、ステップＳ３０へ処理が進められる。また、スライド（２）状態であると決定されると、ステップＳ１６０（図９参照）へ処理が進められる。また、スライド（３）状態であると決定されると、ステップＳ３２０（図１１参照）へ処理が進められる。
【００８３】
上記アプリケーションの起動時の情報端末１００の状態が表２の「２−０−１」に対応する状態であれば、ページめくり制御の処理は、ステップＳ１５０（図９参照）から開始される。
【００８４】
図９を参照して、上記アプリケーションが起動されると、ＣＰＵ１１１は、ステップＳ１５０で、ステップＳ１０と同様に、Openページの設定内容を取得して、ステップＳ１６０へ処理を進める。
【００８５】
ステップＳ１６０では、ＣＰＵ１１１は、第１の表示部１０に、「Openページ」として設定されているページを表示させ、第２の表示部２０に、表紙裏の中で表示の対象となっているページを他のページとは異なる態様で表示して、ステップＳ１７０へ処理を進める。
【００８６】
なお、図１９は、ステップＳ１６０における第１の表示部１０と第２の表示部２０の表示内容の一例を示す図である。
【００８７】
図１９（Ａ）では、第１の表示部１０における表示画面の一例である画面９１１が示されている。そして、図１９（Ｂ）には、第２の表示部２０の、スライド（２）状態にあるときの視認可能な領域に表示される画面９１２が示されている。画面９１２は、表紙裏の中で表示の対象となっているページ９１２Ａを他のページとは異なる態様（たとえば、異なる色）で表示する。
【００８８】
図９に戻って、ステップＳ１７０では、ＣＰＵ１１１は、スイッチ２２が押下されているか否かを判断し、押下されていると判断するとステップＳ１９０へ処理を進め、押下されていないと判断するとステップＳ１８０へ処理を進める。
【００８９】
ステップＳ１９０では、ＣＰＵ１１１は、スイッチ２２の押下の態様が、所定の時間以上継続した長押し（押し続ける）であるか、上記「１回押し」であるかを判断し、長押しであると判断するとステップＳ２１０へ処理を進め、「１回押し」であると判断すると、ステップＳ２００へ処理を進める。
【００９０】
ステップＳ２００では、ＣＰＵ１１１は、第１の表示部１０に表示するコンテンツのページを２増加するように、第１の表示部１０の表示内容を更新して、ステップＳ１７０へ処理を戻す。
【００９１】
一方、ステップＳ２１０では、ＣＰＵ１１１は、スイッチ２２の押下が解消されたか否か、つまり、ユーザがスイッチ２２を離したかどうかを判断し、押下が解消されたと判断するとステップＳ１７０へ処理を戻し、押下が継続されていると判断するとステップＳ２２０へ処理を進める。
【００９２】
ステップＳ２２０では、ＣＰＵ１１１は、「Openページ」として設定するページ番号を２増加するように更新して、ステップＳ２３０へ処理を進める。
【００９３】
ステップＳ２３０では、ＣＰＵ１１１は、第１磁気センサ１２１および第２磁気センサ１２２の計測結果に基づいて、第１の筐体１と第２の筐体２のスライド状態を決定し、当該決定したスライド状態の種類に応じて、処理を進める。ここで、スライド（１）状態であると決定されると、ステップＳ１１０（図８参照）へ処理が戻される。また、スライド（２）状態であると決定されると、ステップＳ２１０へ処理が進められる。また、スライド（３）状態であると決定されると、ステップＳ４４０（図１２参照）へ処理が進められる。
【００９４】
上記アプリケーションの起動時の情報端末１００の状態が表３の「３−０−１」に対応する状態であれば、ページめくり制御の処理は、ステップＳ３１０（図１１参照）から開始される。
【００９５】
図１１を参照して、ステップＳ３１０では、ＣＰＵ１１１は、「Openページ」の設定情報を取得して、ステップＳ３２０へ処理を進める。
【００９６】
ステップＳ３２０では、ＣＰＵ１１１は、第１の表示部１０に、Openページから１差引いたページを表示させ、そして、第２の表示部２０に、コンテンツのOpenページで特定されるページを表示させて、ステップＳ３３０へ処理を進める。
【００９７】
ステップＳ３３０では、ＣＰＵ１１１は、スイッチ２２が押下されているか否かを判断し、押下されていると判断するとステップＳ３５０へ処理を進め、されていないと判断するとステップＳ３４０へ処理を進める。
【００９８】
ステップＳ３５０では、ＣＰＵ１１１は、スイッチ２２の押下のされ方を確認する。具体的には、スイッチ２２が、所定の時間以上押下され続けたか否かを判断し、押下され続けたと判断するとステップＳ３７０へ処理を進め、スイッチ２２の押下が継続した時間が所定時間未満であった場合（１回押し）には、ステップＳ３６０へ処理を進める。
【００９９】
ステップＳ３６０では、ＣＰＵ１１１は、第１の表示部１０と、第２の表示部２０のそれぞれに表示させるコンテンツのページ数を、２増加させるように、各表示部の表示内容を更新して、ステップＳ３３０へ処理を戻す。なお、ステップＳ３６０では、第１の表示部１０および第２の表示部２０の表示を更新する際に、コンテンツの一例である電子書籍のページがめくれるようなアニメーション表示を行なうことが好ましい。
【０１００】
一方、ステップＳ３７０では、ＣＰＵ１１１は、ページめくり候補の値を０として、ステップＳ３８０へ処理を進める。
【０１０１】
本実施の形態において「ページめくり候補」とは、図１７および図１８を参照して説明したように、一度にページめくりをするために、溜められるページの数である。情報端末１００では、ＲＡＭ１１２または記憶部１２０において、ページめくり候補の値が記憶される。ステップＳ３７０では、当該値が、０に初期化される。
【０１０２】
ステップＳ３８０では、ＣＰＵ１１１は、スイッチ２２の押下が解除されたか否かを判断し、解除された（ユーザが、スイッチ２２を離した）と判断すると、ステップＳ４２０へ処理を進め、押下が継続されていると判断するとステップＳ３９０へ処理を進める。
【０１０３】
ステップＳ３９０では、ＣＰＵ１１１は、ページめくり候補を１加算更新し、そして、第２の表示部２０に表示される画面（左画面）の表示内容を、図１８（Ｂ）を参照して説明したような、ページめくりの候補として溜められ、浮いたように表示される用紙の数を１枚追加するように更新させて、ステップＳ４００へ処理を進める。
【０１０４】
ステップＳ４００では、ＣＰＵ１１１は、第１の筐体１と第２の筐体２のスライド状態を決定し、決定したスライド状態に応じて処理を進める。スライド（１）状態であると決定されると、ステップＳ４１０へ処理が進められる。また、スライド（２）状態であると決定されると、ステップＳ２６０（図１０参照）へ処理が進められる。また、スライド（３）状態であると決定されると、ステップＳ３８０へ処理が進められる。
【０１０５】
ステップＳ４１０では、ＣＰＵ１１１は、ページめくり候補の値を０に初期化した後、ステップＳ１１０（図８参照）へ処理を戻す。
【０１０６】
一方、ステップＳ４２０では、ＣＰＵ１１１は、ページめくり候補の値を０に初期化し、さらに、図１７（Ｂ）および図１８（Ｂ）を参照して説明したような、用紙を浮かせた表示を解除して（図１４（Ｂ）に示すような表示に戻して）、ステップＳ３３０へ処理を戻す。
【０１０７】
図１０を参照して、ステップＳ２６０では、ＣＰＵ１１１は、第２の表示部２０に、書籍の左側の、ページの縁を表す画像を表示させて、ステップＳ２７０へ処理を進める。
【０１０８】
なお、縁を表す画像の一例を、図２６に示す。
図２６の画面９３１には、縁を表す画像を表示する画面９３１が示されている。画面９３１には、書籍の左側のページの端部が重ねられて表示する画像に相当する。当該画像において重ねられる用紙の数は、ステップＳ３９０（図１１参照）において加算更新された結果のページめくり候補の値に対応する。つまり、ページめくり候補で指定される用紙の数だけ、ステップＳ２６０で第２の表示部２０に表示される、ページの縁の数となる。
【０１０９】
ステップＳ２７０では、ＣＰＵ１１１は、ページめくり候補で特定される値の数のページめくりを実施して、ステップＳ２８０へ処理を進める。ステップＳ２７０では、ページめくり候補の値のページが、一括して、めくられる。これにより、第１の表示部１０に表示されるページ数および第２の表示部２０に表示されるページ数は、それぞれページめくり候補の値の２倍分だけ、大きくなる。たとえば、図１４（Ａ）に示されるように、第１の表示部１０においてコンテンツの第２ページが表示され、そして、図１４（Ｂ）に示されるように第２の表示部２０においてコンテンツの第３ページが表示されている場合に、ページめくり候補の値が「４９」であったとすると、ステップＳ２７０の処理が実行されることにより、第１の表示部１０に表示されるコンテンツのページは、図１５（Ａ）に示されるように第１００ページとなり、また、第２の表示部２０に表示されるページは、図１５（Ｂ）に示されるように、第１０１ページとなる。
【０１１０】
ステップＳ２８０では、ＣＰＵ１１１は、スイッチの長押しの効果をキャンセルして、ステップＳ２９０へ処理を進める。なお、スイッチの長押しの効果のキャンセルとは、ページめくり候補の値の初期化を含む。また、ステップＳ２７０で、第１の表示部１０および第２の表示部２０の表示内容が更新されているので、ステップＳ２８０が実行される時点では、第２の表示部２０には、図１８（Ｂ）を参照して説明したような、書籍のページを構成する用紙が浮いた表示は解消されている。
【０１１１】
ステップＳ２９０では、ＣＰＵ１１１は、スイッチ２２の押下が解除されたか否かを判断し、解除された（ユーザがスイッチ２２を離した）と判断するとステップＳ１７０（図９参照）へ処理を進め、押下が継続されていると判断すると、ステップＳ３００へ処理を進める。
【０１１２】
ステップＳ３００では、ＣＰＵ１１１は、第１の筐体１と第２の筐体２のスライド状態を決定し、決定したスライド状態に応じて処理を進める。スライド（１）状態であると決定されると、ステップＳ１１０（図８参照）へ処理が進められる。また、スライド（２）状態であると決定されると、ステップＳ２９０へ処理が進められる。また、スライド（３）状態であると決定されると、ステップＳ４４０（図１２参照）へ処理が進められる。
【０１１３】
図１２を参照して、ステップＳ４４０では、ＣＰＵ１１１は、第１の表示部１０に、Openページで特定されるページの１ページ前のページを表示させ、また、第２の表示部２０に、Openページを表示させて、ステップＳ４５０へ処理を進める。
【０１１４】
ステップＳ４５０では、ＣＰＵ１１１は、ステップＳ２８０（図１０参照）と同様に、スイッチの長押しの効果をキャンセルさせて、ステップＳ４６０へ処理を進める。
【０１１５】
ステップＳ４６０では、ＣＰＵ１１１は、スイッチ２２の押下が解除されたか否かを判断し、解除されたと判断するとステップＳ３３０（図１１参照）へ処理を戻し、押下が継続されていると判断すると、ステップＳ４７０へ処理を進める。
【０１１６】
ステップＳ４７０では、ＣＰＵ１１１は、第１の筐体１と第２の筐体２のスライド状態を決定し、決定したスライド状態に応じて、処理を進める。スライド（１）状態であると決定されると、ステップＳ１１０（図８参照）へ処理が進められる。また、スライド（２）状態であると決定されると、ステップＳ２６０（図１０参照）へ処理が進められる。また、スライド（３）状態であると決定されると、ステップＳ４６０へ処理が進められる。
【０１１７】
図８を参照して、ステップＳ１１０では、ＣＰＵ１１１は、第１の表示部１０に、ステップＳ２０と同様に、電子書籍の表紙裏を表示させて、ステップＳ１２０へ処理を進める。
【０１１８】
ステップＳ１２０では、ＣＰＵ１１１は、ステップＳ２８０（図１０参照）と同様に、スイッチの長押し効果をキャンセルして、ステップＳ１３０へ処理を進める。
【０１１９】
ステップＳ１３０では、ＣＰＵ１１１は、スイッチ２２の押下が解除されたか否かを判断し、解除されたと判断するとステップＳ３０（図７参照）へ処理を戻し、解除されていない、つまり、スイッチ２２の押下が継続されていると判断するとステップＳ１４０へ処理を進める。
【０１２０】
ステップＳ１４０では、ＣＰＵ１１１は、第１の筐体１と第２の筐体２のスライド状態を決定し、決定したスライド状態に応じて処理を進める。スライド（１）状態であると決定するとステップＳ１３０へ処理を戻す。スライド（２）状態であると決定すると、ステップＳ２５０（図１０参照）に処理を進める。スライド（３）状態であると決定すると、ステップＳ４４０（図１２参照）へ処理を戻す。
【０１２１】
上記アプリケーションの起動時の情報端末１００の状態が表１の「１−０−２」に対応する状態であれば、ページめくり制御の処理は、ステップＳ１００（図８参照）から開始される。
【０１２２】
ステップＳ１００では、ＣＰＵ１１１は、ステップＳ１０（図７参照）と同様に、Openページの設定内容を取得した後、ステップＳ１１０で、第１の表示部１０に電子書籍の表示裏が表示されて、ステップＳ１２０へ処理が進められる。ステップＳ１２０では、スイッチ２２の長押し効果がキャンセルされる。
【０１２３】
上記アプリケーションの起動時の情報端末１００の状態が表２の「２−０−２」に対応する状態であれば、ページめくり制御の処理は、ステップＳ２４０（図１０参照）から開始される。
【０１２４】
ステップＳ２４０では、ＣＰＵ１１１は、ステップＳ１０（図７参照）と同様に、Openページの設定内容を取得した後、ステップＳ２５０へ処理を進める。
【０１２５】
上記アプリケーションの起動時の情報端末１００の状態が表３の「３−０−２」に対応する状態であれば、ページめくり制御の処理は、ステップＳ４３０（図１２参照）から開始される。
【０１２６】
ステップＳ４３０では、ＣＰＵ１１１は、ステップＳ１０（図７参照）と同様に、Openページの設定内容を取得した後、ステップＳ４４０へ処理を進める。
【０１２７】
［スライド状態の決定処理］
以上、図７〜図１２を参照して説明したページめくり制御処理では、ステップＳ６０，Ｓ９０，Ｓ１４０，Ｓ１８０，Ｓ２３０，Ｓ３００，Ｓ３４０，Ｓ４００，Ｓ４７０において、第１の筐体１と第２の筐体２のスライド状態が決定された。このスライド状態の決定の具体的な処理内容を、当該処理のフローチャートである図１３を参照して説明する。
【０１２８】
図１３を参照して、スライド状態の決定では、ＣＰＵ１１１は、まずステップＳＡ１０で、第１磁気センサ１２１と第２磁気センサ１２２が計測する磁場の大きさを計測し、磁石１２９と対向する場合に計測されるべき値以上の磁場を計測しているセンサを選択する。当該大きさの磁場を計測するセンサが、第１磁気センサ１２１である場合には、ステップＳＡ２０へ処理を進める。また、当該大きさの磁場を計測しているのが第２磁気センサ１２２であると判断すると、ステップＳＡ３０へ処理を進める。第１磁気センサ１２１と第２磁気センサ１２２のいずれもが、そのような大きさの磁場を計測していないと判断すると、ステップＳＡ４０へ処理を進める。
【０１２９】
ステップＳＡ２０では、ＣＰＵ１１１は、スライド状態をスライド（１）状態であると決定して、処理を終了する。ステップＳＡ３０では、ＣＰＵ１１１は、スライド状態をスライド（２）状態であると決定して、処理を終了させる。ステップＳＡ４０では、ＣＰＵ１１１は、スライド状態をスライド（３）状態であると決定して、処理を終了させる。
【０１３０】
なお、ステップＳＡ１０においてセンサを選択する際の閾値となる磁場の大きさは、各磁気センサが磁石１２９と対向したときに検出される値よりも多少低い値とされても良い。これにより、図５に示されたスライド（１）状態、または、図６に示されたスライド（２）状態から多少ずれたスライド状態にあっても、スライド（１）状態に近い状態にあればスライド（１）状態にあると決定され、また、スライド（２）状態に近い状態にあればスライド（２）状態にあると決定される。
【０１３１】
［本実施の形態の効果］
以上説明した本実施の形態では、第１の筐体１と第２の筐体２がスライド（３）状態（図１参照）にあるときに、これらの表示部にコンテンツが表示されると、そのページめくりの動作において特別な動作がなされる。具体的には、スイッチ２２が継続して押下されと（ステップＳ３８０）、その押下が継続した時間に応じた枚数だけページめくりの候補となる用紙の数が加算更新される（ステップＳ３８０〜ステップＳ４００）。その後、スイッチ２２が押下されたまま、第１の筐体１と第２の筐体がスライド（２）状態（図４参照）とされると、ページングめくり候補として溜められていたページのページめくりが一気に行なわれる（ステップＳ２７０）。
【０１３２】
これにより、コンテンツにおけるページめくりが、１ページずつでなく、複数のまとまったページ分だけ、一度に、行なわれることになる。
【０１３３】
特に、ページめくりの際に、ページのめくられていく様子がアニメーション表示される端末においては、複数のページについてのページめくりのアニメーション表示が、１枚ずつ行なわれることがないため、アニメーション表示に要する時間を短縮でき、長時間同じアニメーション表示を繰返し視聴させられることによるユーザの煩雑さを解消できる。ただし、まとまったページについてのアニメーション表示は行なわれるため、ユーザに、実際に紙の書籍を扱っている心地よさを感じさせることができる。
【０１３４】
なお、上記したように、ステップＳ３８０は、スイッチ２２の押下が継続されている間、特定の時間（たとえば１秒）毎に実行される。これにより、当該特定の時間毎に、ページめくり候補として溜められるページの数が加算更新される。なお、この時間間隔は、情報端末１００毎に適宜設定することができる。また、当該特定の時間は、ページめくり候補の値とともに変化させてもよい。たとえばページめくり候補の値が大きくなると、当該特定の時間が短くされてもよい。
【０１３５】
［変形例（１）］
以上説明した本実施の形態では、第１の表示部１０および／または第２の表示部２０に表示されるコンテンツのページめくりは、１ページずつ行なうこともできるし、また、複数のページについての一気に行なうこともできる。
【０１３６】
なお、複数のページについて一気にページめくりがなされる際には、ページめくり候補の加算更新、つまり、一気にめくるために溜められるページの数が徐々に増加していく。このような状態にあることを、図１７および図１８を参照して説明したように、ページめくり候補とされるページが、浮いた状態と表示される。
【０１３７】
なお、ページめくり候補として、一気にめくられるページが溜められることは、さらに、図２１に示されるような表示によって報知されてもよい。
【０１３８】
図２１（Ａ）には、第１の筐体１が示され、図２１（Ｂ）には、第２の筐体２が示されている。
【０１３９】
図２１（Ａ）の第１の筐体１では、第１の表示部１０において、コンテンツの第２ページが表示されている。
【０１４０】
図２１（Ｂ）の第２の筐体２では、第２の表示部２０において、コンテンツの第３ページから、ページめくりの候補としてページが浮いて表示されている。
【０１４１】
さらに、図２１（Ｂ）の第２の表示部２０では、その右端部に、波線が表示されている。このような特別な表示がされることにより、第２の表示部２０において、ページをめくる候補として、１以上のページが溜められた状態にあることが報知される。
【０１４２】
［変形例（２）］
以上説明した本実施の形態では、ページめくり制御において、スイッチ２２が所定時間未満押下された場合には、表示されるコンテンツにおいて、１枚ずつページがめくられるように、第１の表示部１０と第２の表示部２０の表示が更新された（ステップＳ３５０〜ステップＳ３６０）。
【０１４３】
そして、スイッチ２２が所定時間以上継続して押下された場合には、押下が継続した時間の長さに応じた数だけページめくり候補が加算更新された（ステップＳ３８０〜ステップＳ４００）。
【０１４４】
そして、スイッチ２２の押下が継続された状態で、第１の筐体１と第２の筐体２がスライド（２）状態にされると、ページめくり候補で特定される枚数の用紙を一気にページめくりするように、第１の表示部１０と第２の表示部２０におけるコンテンツの表示内容が更新された（ステップＳ４００，ステップＳ２６０，Ｓ２７０）。
【０１４５】
つまり、本実施の形態では、スイッチ２２の長押し（上記所定の時間以上継続して押下されること）の操作が、第１の種類の操作に対応する。そして、第１の筐体１と第２の筐体２を、スライド（３）状態からスライド（２）状態にするための操作が、第２の種類の操作に対応する。
【０１４６】
なお、第１の種類の操作および／または第２の種類の操作の具体例は、これに限定されるものではない。
【０１４７】
たとえば、第１の種類の操作は、第１の筐体１と第２の筐体２を、スライド（３）状態からスライド（２）状態とされ、そして、第２の種類の操作は、これらの筐体をスライド（２）状態からスライド（１）にする操作とされてもよい。これにより、情報端末１００では、第１の筐体１と第２の筐体２という複数の筐体の相対位置を一定の方向（図１の両矢印Ｒ位置方向）に沿って変更させるだけで、表示されるコンテンツの複数のページについてのページめくりを、簡便に行なうことができる。
【０１４８】
また、この場合、スライド（３）状態からスライド（２）状態にされてから、スライド（２）状態が継続された時間に応じて、ページめくり候補が加算更新されてもよいし、また、スライド（３）状態からスライド（２）状態にされた後、スライド（３）状態に戻されるという、一連の操作が行なわれる毎に、ページめくり候補が１加算更新されてもよい。
【０１４９】
また、第１の種類の操作をスイッチ２２の押下とし、そして、第２の種類の操作をスイッチ２２の押下とされてもよい。この場合、スイッチ２２が押下される毎に、ページめくり候補が１加算更新される。そして、スイッチ２２が操作されると、ページめくり候補の値の分の用紙が、一気に、ページめくりされる。なお、スイッチ２２が操作される前に、第１の筐体１と第２の筐体２のスライド状態が変更されたことによって、ページめくり候補が０に初期化されるように構成されてもよい。
【０１５０】
［変形例（３）］
以上説明したページめくり制御処理では、ステップＳ１６０等において、Openページとして設定されたページが、適宜表示される。ここで、たとえばOpenページとして複数のページが設定されている場合等、Openページの設定に従ったコンテンツのページの表示について説明する。
【０１５１】
図２４は、ステップＳ１００等における、Openページとして設定されているページの表示をするためにＣＰＵ１１１が実行する処理のフローチャートである。
【０１５２】
当該処理において、ＣＰＵ１１１は、まずステップＳＢ１０において、表示対象となっているコンテンツについて、しおりが設定されているか否かを判断し、設定されていると判断するとステップＳＢ５０へ処理を進め、設定されていないと判断するとステップＳＢ２０へ処理を進める。
【０１５３】
ステップＳＢ２０では、ＲＡＭ１１２または記憶部１２０において、Openページを特定する情報が設定されているか否かを判断する。そして、設定されていると判断するとステップＳＢ４０へ処理を進め、設定されていないと判断するとステップＳＢ３０へ処理を進める。
【０１５４】
ステップＳＢ３０では、ＣＰＵ１１１は、コンテンツの１ページ目を、Openページとして、第１の表示部１０または第２の表示部２０における表示を実行して、処理を終了する。一方、ステップＳＢ４０では、ＣＰＵ１１１は、Openページの設定内容として記録されているページを、Openページとして、第１の表示部１０および／または第２の表示部２０における表示を制御して、処理を終了する。
【０１５５】
ステップＳＢ５０では、ＣＰＵ１１１は、設定されているしおりの数を取得し、当該取得した数が１であればステップＳＢ６０へ処理を進め、２以上であれば、ステップＳＢ７０へ処理を進める。
【０１５６】
ステップＳＢ６０では、ＣＰＵ１１１は、しおりとして設定されているページを、Openページとして、第１の表示部１０および／または第２の表示部２０における表示を制御して、処理を終了する。
【０１５７】
一方、ステップＳＢ７０では、ＣＰＵ１１１は、しおりとして設定されているページの中で、コンテンツにおいて最も後（ページ数が多い）に位置するページをOpenページとして、第１の表示部１０および／または第２の表示部２０における表示を制御して、処理を終了する。
【０１５８】
［変形例（４）］
上記したようなOpenページは、当該Openページの設定のための特別な操作によって設定されてもよいし、または、コンテンツを表示するアプリケーションの終了時に第１の表示部１０または第２の表示部２０に表示されていたページが設定されてもよい。
【０１５９】
後者に従ってOpenページが設定される場合の処理内容を、図２５に示す。
情報端末１００に対して、電源をＯＦＦする操作、または、上記アプリケーションを終了させるための操作がなれると、ＣＰＵ１１１は、ステップＳＣ１０で、現在第２の表示部２０に表示させているページを、表示対象とされているコンテンツについてのOpenページとして、記憶部１２０に記憶させて、ステップＳＣ２０へ処理を進める。
【０１６０】
ステップＳＣ２０では、ＣＰＵ１１１は、情報端末１００の電源をＯＦＦして（アプリケーションの終了時にはアプリケーションを終了させて）、当該処理を終了する。
【０１６１】
［変形例（５）］
上記した本実施の形態において、図１７および図１８を参照して説明したように、ページめくり候補としてページについて、当該ページを溜めている状態が、画像として、第２の表示部２０において表示された。本実施の形態において、必ずしも、このような溜めた状態を示す画像の表示は行なわれなくても良い。この代わりとして、溜められているページの数（たとえば、１０ページ溜められている場合には「１０」）が表示されても良いし、また、図２０（Ｂ）において画面９１４として示されるように、しおりを用いて、ためられているページの範囲が示されても良い。画面９１４では、溜められたページに対応するしおりの中の項目を表示する領域（領域９１４Ｘ）が、画面９１４中の他の領域と、異なる態様（たとえば、異なる色）で表示されている。なお、図２０（Ａ）の画面９１３は、第１の表示部１０に表示される画面の一例であり、図２０（Ｂ）の画面９１４は、第２の表示部２０に表示される画面の一例である。
【０１６２】
［その他の変形例］
本実施の形態では、第１の種類の操作がスイッチに対する操作とされ、第２の種類の操作がスライド状態の変更のための操作とされたが、これらが入れ替えられて、第１の種類の操作がスライド状態の変更とされ、第２の種類の操作がスイッチに対する操作とされても良い。
【０１６３】
本実施の形態の情報端末１００は、通信機能を備えていなくても良い。つまり、本実施の形態の情報端末１００では、通信インターフェース１０５は必須の構成要素ではない。ただし、第１の表示部１０および／または第２の表示部２０に、ネットワークを介してダウンロード（または、ストリーミング）されるコンテンツを表示させる場合には、通信機能を備えている必要がある。ただし、情報端末１００内に記憶された（記憶部１２０に記憶された）、または、記録媒体２００に記憶されたコンテンツを表示する際には、通信機能は必須ではない。
【０１６４】
また、情報端末１００において、表示されたコンテンツのページを１枚ずつめくるための操作は、タッチセンサ１１またはタッチセンサ２１に対するドラッグ操作に限定されない。つまり、本実施の形態の情報端末１００において、タッチセンサ１１，２１は、必須の構成要素ではない。ＣＰＵ１１１は、たとえば、スイッチ１２および／またはスイッチ２２が特別な態様で操作されることに応じて、表示されたコンテンツのページを１ページずつめくるような表示制御を行なっても良い。
【０１６５】
また、本実施の形態の情報端末１００が、音声の入力を受付けるマイクロフォンを備え、当該マイクロフォンに対する特定の音声の入力（たとえば、「５ページまとめてめくる」という音声メッセージ）の入力に基づいて、情報端末１００は、１度にまとめてページをめくる枚数を特定し、そして、特定した枚数だけ、ページめくりの処理を実行しても良い。このような、入力された音声メッセージからの、枚数の特定や、処理内容（ページをめくる）の特定は、入力された音声メッセージに対する音声認識等、既存の技術を適用することにより、実現可能である。
【０１６６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１６７】
１  第１の筐体、２  第２の筐体、１０  第１の表示部、１１，２１  タッチセンサ、１２，２２  スイッチ、２０  第２の表示部、１００  情報端末、１２１  第１磁気センサ、１２２  第２磁気センサ、１２９  磁石、２００  記録媒体。
【図１】
0005722028.tif 000005
【図２】
0005722028.tif 000006
【図３】
0005722028.tif 000007
【図４】
0005722028.tif 000008
【図５】
0005722028.tif 000009
【図６】
0005722028.tif 000010
【図７】
0005722028.tif 000011
【図８】
0005722028.tif 000012
【図９】
0005722028.tif 000013
【図１０】
0005722028.tif 000014
【図１１】
0005722028.tif 000015
【図１２】
0005722028.tif 000016
【図１３】
0005722028.tif 000017
【図１４】
0005722028.tif 000018
【図１５】
0005722028.tif 000019
【図１６】
0005722028.tif 000020
【図１７】
0005722028.tif 000021
【図１８】
0005722028.tif 000022
【図１９】
0005722028.tif 000023
【図２０】
0005722028.tif 000024
【図２１】
0005722028.tif 000025
【図２２】
0005722028.tif 000026
【図２３】
0005722028.tif 000027
【図２４】
0005722028.tif 000028
【図２５】
0005722028.tif 000029
【図２６】
0005722028.tif 000030